(57)【要約】【課題】浴室用テレビ装置の正面から目が上下にずれた位置で画面を鑑賞すると、画面全体が白くなり、あるいは黒くなる場合が生じる。このような場合には、画面設定で輝度を増減させたりガンマ補正をすることにより視野角補正をすれば画像は改善されるが、このような画面設定は煩わしいばかりか、そのような画面設定ができることを知らない場合がある。【解決手段】鑑賞者の顔を撮像するカメラを備え、このカメラで撮像した画像から鑑賞者の顔を認識する顔認識手段と、顔認識手段により認識された顔の位置と液晶表示部との相対位置を求め、その相対位置に応じて液晶表示部の視野角補正を行うようにした。【選択図】  図３
2014098761.tif 000002
【特許請求の範囲】
【請求項１】
液晶表示部を備え、浴室の壁面に固定される浴室用液晶テレビにおいて、液晶表示部に表示されるテレビ画像を鑑賞する鑑賞者の顔を撮像するカメラを備え、このカメラで撮像した画像から鑑賞者の顔を認識する顔認識手段と、顔認識手段により認識された顔の位置と液晶表示部との相対位置を求め、その相対位置に応じて液晶表示部の視野角補正を行う視野角補正手段とを備えたことを特徴とする浴室用液晶テレビ装置。
【請求項２】
上記顔認識手段は鑑賞者の目が開いているか否かを検知し、目が閉じられている時間が所定時間継続すると上記液晶表示部のテレビ画像の表示を停止することを特徴とする請求項１に記載の浴室用液晶テレビ装置。
【発明の詳細な説明】
【技術分野】
【０００１】
本発明は、浴室の壁面に固定して使用される浴室用液晶テレビ装置に関する。
【背景技術】
【０００２】
浴室内で入浴中などにテレビ鑑賞をしたいというニーズは以前からあり、ブラウン管式のテレビ装置の時代から浴室でテレビ画像を鑑賞する浴室用テレビ装置が多数発明されてきた。近年ではブラウン管に変わって液晶表示ユニットが用いられ、テレビ装置のハウジング自体が防水構造となり、浴室の壁面に直接取り付けることができるようになった。
【０００３】
但し、液晶表示ユニットはその構造上、視野角に制限が生じてしまう。液晶表示ユニットを正面から鑑賞する場合には問題は生じないが、上下方向の一方から斜めに鑑賞する場合には画面が全体に白くなり、逆方向である他方から斜めに鑑賞すると逆に画面が黒くなるという特性がある（例えば、特許文献１参照）。
【先行技術文献】
【特許文献】
【０００４】
【特許文献１】特開２００８−２８１６２２号公報（段落０００５）
【発明の概要】
【発明が解決しようとする課題】
【０００５】
浴室の壁面には給湯装置の作動を制御するリモコンが取り付けられており、浴室用テレビを後から取り付ける場合にはリモコンを避ける必要があるため、所定の取付位置から上下にずれた位置に取り付けざるを得ない場合が生じる。また、所定の位置に取り付けることができたとしても、鑑賞する入浴者の姿勢が変わることにより目の高さが上下する。
【０００６】
浴室用テレビ装置は壁面に固定するため、画面の仰角を自由に変更することができないので、液晶表示ユニットの正面から目が上下にずれた位置で画面を鑑賞すると、上述のように画面全体が白くなり、あるいは黒くなる場合が生じる。
【０００７】
このような場合には、画面設定で輝度を増減させたりガンマ補正をすることにより視野角補正をすれば画像は改善されるが、このような画面設定は通常頻繁に行う操作ではないため、階層の深い位置に設定されている場合が多く、使用者は画面設定操作が煩わしいばかりか、そのような画面設定ができることを知らない場合がある。そのため、上記のような、画面が白く、あるいは黒くなった場合にそのまま我慢してテレビ画像を鑑賞し続けることになる。
【０００８】
そこで本発明は、上記の問題点に鑑み、視野角補正を自動的に行うことのできる浴室用液晶テレビ装置を提供することを課題とする。
【課題を解決するための手段】
【０００９】
上記課題を解決するために本発明による浴室用液晶テレビ装置は、液晶表示部を備え、浴室の壁面に固定される浴室用液晶テレビにおいて、液晶表示部に表示されるテレビ画像を鑑賞する鑑賞者の顔を撮像するカメラを備え、このカメラで撮像した画像から鑑賞者の顔を認識する顔認識手段と、顔認識手段により認識された顔の位置と液晶表示部との相対位置を求め、その相対位置に応じて液晶表示部の視野角補正を行う視野角補正手段とを備えたことを特徴とする。
【００１０】
視野角補正を行うためには液晶表示部と鑑賞者の顔との相対的な位置関係を知る必要がある。そこで、上記カメラの撮像画像から鑑賞者の顔を認識してその顔の位置を求めるようにした。
【００１１】
なお、音楽番組などでは必ずしも液晶表示部の画像を鑑賞し続ける必要がなく、目を閉じて音声を鑑賞する場合がある。そのような場合には液晶表示部に画像を表示し続ける必要がないので、上記顔認識手段は鑑賞者の目が開いているか否かを検知し、目が閉じられている時間が所定時間継続すると上記液晶表示部のテレビ画像の表示を停止するようにしてもよい。
【発明の効果】
【００１２】
以上の説明から明らかなように、本発明は、鑑賞者の顔の位置を検知するので、その顔の位置に応じて適切な視野角補正を行うことができる。
【図面の簡単な説明】
【００１３】
【図１】浴室用液晶テレビ装置の取り付け状態を示す図
【図２】浴室用液晶テレビ装置の正面図
【図３】顔認識の内容を示す図
【発明を実施するための形態】
【００１４】
１は本発明による浴室用液晶テレビ装置（以下、テレビ装置という）であり、浴室の壁面ＢＷに固定されている。ＲＣは給湯装置のリモコンで有り、通常はテレビ装置１の上下位置に固定されている。このテレビ装置１の画像を鑑賞する際には浴槽ＢＴ内に入浴している姿勢で鑑賞する場合が多い。なお、図１には示していない赤外線のリモコンが有り、テレビ装置１の通常の操作はそのリモコンによって行う。
【００１５】
テレビ装置１の取付位置は上記給湯装置用のリモコンＲＣの取付位置によって変更せざるを得ない場合が有り、その場合には理想的な位置よりも上下に変位した位置に取り付けられる場合がある。また、浴槽ＢＴ内で入浴中の鑑賞者の体格の大小や姿勢の変更によって、テレビ装置１と鑑賞者の目との相対的位置が変化する場合が有り、テレビ装置１の正面から鑑賞できない場合には視野角補正を行う必要が生じる場合がある。
【００１６】
図２を参照して、テレビ装置１には液晶表示ユニットによる表示部１１が正面中央に設けられている。また、この表示部１１の上方にはカメラ２が設けられている。このカメラ２はテレビ装置１が作動中は常に撮像し続けるように設定されている。
【００１７】
上述のように、表示部１１は液晶表示ユニットを用いているので、正面よりも例えば上方から見下ろすように鑑賞すると、画像のコントラストが失われ、全体的に白くなる。逆に下方から見上げるように鑑賞すると、画像は全体的に黒くつぶれてしまい、画像を識別できなくなる。このような場合にはガンマ補正などの視野角補正をすれば、表示される画像の視認性が改善されるが、その視野角補正を行うためには表示部１１と鑑賞者の顔の位置との相対的な位置関係を知らなければならない。
【００１８】
そこで、上記カメラ２で撮像した画像から鑑賞者の顔を認識するようにした。図３を参照して、ＦＬは撮像されたカメラ画像のフレームで有り、そのフレームＦＬ内に鑑賞者Ｐが撮像されていれば鑑賞者Ｐの顔Ｆを認識し、その認識した顔Ｆに認識枠３を設定する。続いて、その認識枠３の位置を求めて、その上下方向の位置から上記視野角補正の程度を決定する。視野角補正の程度が決定されると、テレビ装置１に内蔵されている図示しない制御装置が表示部１１の表示画像に対して視野角補正を行う。
【００１９】
ところで、顔Ｆを認識する際に同時に顔Ｆの目Ｅを識別し、目Ｅが開いている状態では表示部１１に画像を表示させるが、目Ｅが閉じられると、閉じられた時点から所定時間（１０秒程度）閉じられた状態が維持されると、表示部１１の画像表示を停止して消費電力の低減を図るようにした。
【００２０】
更に、目を閉じた状態が１０分程度継続すると、テレビ装置１より鑑賞者Ｐに対して呼び掛け音声を発音させ、それでも目Ｅが開かない場合には、浴室外に図外のスピーカから報知音声が流れるように構成してもよい。
【００２１】
なお、本発明は上記した形態に限定されるものではなく、本発明の要旨を逸脱しない範囲内において種々の変更を加えてもかまわない。
【符号の説明】
【００２２】
１  テレビ装置
２  カメラ
【図１】
2014098761.tif 000003
【図２】
2014098761.tif 000004
【図３】
2014098761.tif 000005